(57)【特許請求の範囲】
【請求項１】
一面および反対面を持つケーブルを受けるためのケーブル用コネクタであって、
前記一面に対向する接触部と前記反対面に対向する枢支部とを持つコンタクトと、前記コンタクトを予め定められた方向に挿入し保持するハウジングと、前記ケーブルを前記接触部に圧接させるためのアクチュエータとを有するケーブル用コネクタにおいて、
前記アクチュエータは、前記枢支部が挿入される貫通穴に隣接し、前記接触部側に向けて形成された第１のカム部と、前記ハウジングに当接する第２のカム部とを有し、前記第１のカム部はカム水平面および該カム水平面から延在するカム側面を有し、前記コンタクトの枢支部によって支持・係合されながら、前記アクチュエータは回転して、開いた状態および閉じた状態のいずれか一方になるケーブル用コネクタであり、
前記ハウジングは、前記第２のカム部を受けるためのカム受面を有し、前記第２のカム部は、前記ハウジングのカム受面に当接して配され、
前記アクチュエータを開いた状態では、前記コンタクトの枢支部が前記アクチュエータのカム水平面に当接するだけで、前記コンタクトの枢支部は弾性変形しないが、
前記アクチュエータを開いた状態から閉じた状態にするように前記アクチュエータの回動を開始すると、前記コンタクトの枢支部が前記アクチュエータのカム側面に当接し、且つ、前記カム側面によって押圧されることにより、前記コンタクトの枢支部が、弾性変形し、付勢される結果、前記アクチュエータに開いた状態に戻す力を与えることを特徴とするケーブル用コネクタ。
【請求項２】
請求項１のケーブル用コネクタにおいて、
前記アクチュエータおよび前記ハウジングは、前記予め定められた方向に直交する長手方向に延在してそれぞれの両端を持ち、
前記アクチュエータの第２のカム部と前記ハウジングのカム受面とは、それぞれの両端に形成されたことを特徴とするケーブル用コネクタ。
【発明の詳細な説明】
【０００１】
【発明の属する技術分野】
本発明は、ＦＰＣ（Flexible Printed Circuit）等のシート状ケーブルを接続するのに適したアクチュエータを開閉する回転式のケーブル用コネクタに関する。
【０００２】
【従来の技術】
この種のケーブル用コネクタとして、例えば、特開平１０−２０８８２２号公報や特開平９−９２４１１号公報にて開示されたものがある。それらのケーブル用コネクタは、ＦＰＣの挿入を容易にするために開放されるアクチュエータを備えている。ＦＰＣの挿入後にアクチュエータが閉じられると、ＦＰＣはコネクタに機械的及び電気的に接続される。
【０００３】
【発明が解決しようとする課題】
しかしながら、それらの公報にて開示されたケーブル用コネクタでは、ＦＰＣを挿入するためにアクチュエータを開く向きに過度に回動させると、アクチュエータが外れてしまうという欠点がある。そのため、ＦＰＣを挿入するときには、アクチュエータを手で押さえていなければならず、作業性に支障をきたす虞がある。
【０００４】
それ故に本発明の課題は、アクチュエータの姿勢の変化に拘らずその外れを防止できる作業性に優れたケーブル用コネクタを提供することにある。
【０００５】
【課題を解決するための手段】
本発明の課題を解決するために、以下の手段を採用する。
【０００６】
（１）  一面および反対面を持つケーブルを受けるためのケーブル用コネクタであって、
前記一面に対向する接触部と前記反対面に対向する枢支部とを持つコンタクトと、前記コンタクトを予め定められた方向に挿入し保持するハウジングと、前記ケーブルを前記接触部に圧接させるためのアクチュエータとを有するケーブル用コネクタにおいて、
前記アクチュエータは、前記枢支部が挿入される貫通穴に隣接し、前記接触部側に向けて形成された第１のカム部と、前記ハウジングに当接する第２のカム部とを有し、前記第１のカム部はカム水平面および該カム水平面から延在するカム側面を有し、前記コンタクトの枢支部によって支持・係合されながら、前記アクチュエータは回転して、開いた状態および閉じた状態のいずれか一方になるケーブル用コネクタであり、
前記ハウジングは、前記第２のカム部を受けるためのカム受面を有し、前記第２のカム部は、前記ハウジングのカム受面に当接して配され、
前記アクチュエータを開いた状態では、前記コンタクトの枢支部が前記アクチュエータのカム水平面に当接するだけで、前記コンタクトの枢支部は弾性変形しないが、
前記アクチュエータを開いた状態から閉じた状態にするように前記アクチュエータの回動を開始すると、前記コンタクトの枢支部が前記アクチュエータのカム側面に当接し、且つ、前記カム側面によって押圧されることにより、前記コンタクトの枢支部が、弾性変形し、付勢される結果、前記アクチュエータに開いた状態に戻す力を与えることを特徴とするケーブル用コネクタ。
【０００７】
（２）  （１）のケーブル用コネクタにおいて、
前記アクチュエータおよび前記ハウジングは、前記予め定められた方向に直交する長手方向に延在してそれぞれの両端を持ち、
前記アクチュエータの第２のカム部と前記ハウジングのカム受面とは、それぞれ両端に形成されたことを特徴とするケーブル用コネクタ。
【０００８】
【発明の実施の形態】
図１〜図７を参照して、本発明の第１の実施の形態に係るケーブル用コネクタ１１について説明する。
【０００９】
このケーブル用コネクタ１１は、枢支部１３を持つコンタクト１５と、上下両面を持つシート状ケーブルであるＦＰＣ１７を受けるとともに、多数のコンタクト１５を植設するためのハウジング１９と、ＦＰＣ１７をコンタクト１５に圧接させるために、ハウジング１９に植設されたコンタクト１５の枢支部１３によって支持されることにより、開閉すなわち回転するアクチュエータ２１とを有する。アクチュエータ２１には、コンタクト１５の枢支部１３を貫通させるための貫通穴１２が形成されている。
【００１０】
ハウジング１９は、アクチュエータ２１を組み込むための上方開口部と、多数のコンタクト１５を予め定められた方向すなわち図２において右から左方向に挿入・植設するために多数の穴９が配置・形成された右側面開口部とを備えている。
【００１１】
詳しく述べると、ハウジング１９の上方開口部の両端には、軸受部２０が形成されている。アクチュエータ２１の両端には軸部２２が設けられており、組み込みの際、ハウジング１９の上方よりアクチュエータ２１の軸部２２をハウジング１９の軸受部２０にそれぞれ収納される。
【００１２】
また、ハウジング１９の左側面には、多数のコンタクト１６を受けるための多数の穴１０が、多数の穴９とほぼ対応するように配置・穿設されている。多数のコンタクト１６は、多数の穴１０に挿入され配置される結果、多数のコンタクト１６の上部分（図２参照）は、左側面側からＦＰＣ１７が挿入される際に摺動する。なお、多数のコンタクト１６および多数の穴１０は、無くても良い。
【００１３】
このケーブル用コネクタ１１のアクチュエータ２１は、図２に明示したように、カム水平面およびカム側面を持つカム部２５を有する。コンタクト１５の枢支部１３は、カム部２５のカム水平面およびカム側面に係合するように断面が略Ｌ字状に形成されている。
【００１４】
コンタクト１５の枢支部１３はカム水平面に接して、アクチュエータ２１を解放させた状態すなわち開いた状態になる。コンタクト１５の枢支部１３はカム水平面からカム側面に摺動して、支持・係合が維持される。その結果、アクチュエータ２１が回転してアクチュエータ２１の開いた状態から閉じた状態になる。
【００１５】
アクチュエータ２１を開いた状態に操作すると、アクチュエータ２１のカム部２５が、ハウジング１９のカム受面に面接触し堅固に当接するので、アクチュエータ２１の開いた状態は保持される。その結果、コンタクト１５の枢支部１３がアクチュエータ２１のカム部２５のカム水平面に当接するだけで、コンタクト１５の枢支部は、弾性変形せず、アクチュエータ２１の軸を支えるための軸支え部として作用する。このとき、アクチュエータ２１を開いた状態が保持されるため、アクチュエータ２１を手で押さえる必要がなくなり、ＦＰＣ１７を挿入する作業が簡単になる。
【００１６】
一方、アクチュエータ２１を開いた状態から閉じた状態にするために回転・操作すると、アクチュエータ２１のカム部２５のカム水平面が、水平方向から傾きを持つ位置まで移動する。この回転の時、アクチュエータ２１の軸の中心が上方向にずれて移動する。
【００１７】
その結果、コンタクト１５の枢支部１３がアクチュエータ２１のカム部２５のカム側面に当接し、同時にカム側面が押圧される。アクチュエータ２１を閉じた状態にする場合には、アクチュエータ２１のカム部２５のカム側面は、コンタクト１５を受けるコンタクト受面として作用する。このとき、コンタクト１５の枢支部１３は、弾性変形し押し上げられ変位する結果、アクチュエータ２１を付勢する手段として作用する。詳しく述べると、弾性変形して変位したコンタクト１５の枢支部１３は、その元の形状に戻るモーメントがカム側面に発生する。アクチュエータ２１を手で押さえていないと、アクチュエータ２１は、元の状態すなわち開いた状態に復帰する力が発生する。従って、アクチュエータ２１を開いた状態に速やかに戻って、この開いた状態は安定して保たれる。
【００１８】
また、図８〜図１２を参照しながら、本発明の第２の実施の形態に係るケーブル用コネクタ１１−２について説明する。
【００１９】
アクチュエータ３２およびハウジング３１は、予め定められた方向に長くのびている。ハウジング３１にはカム受面４１が長手方向の両端近傍にそれぞれ形成されている。ハウジング３１にはアクチュエータ３２が取り付けられている。アクチュエータ３２にはカム部５１が形成されている。カム部５１のカム水平面は、ハウジング３１の両端のカム受面４１とそれぞれ対面しているが、アクチュエータ３２を開いたときには、当接する。
【００２０】
コンタクト３３は、弾性を有し、上下方向に可動であるため、弾性変形して変位する。その枢支部６１は、アクチュエータ３２を予め定められた方向に貫通し、アクチュエータ３２の長手方向に延びる軸を支持するための軸支え部として作用する。
【００２１】
図８〜図１０に示すようにアクチュエータ３２を開いた状態では、アクチュエータ３２のカム部５１のカム水平面が、ハウジング３１のカム受面４１に面接触し当接する。その結果、コンタクト３３の枢支部６１がアクチュエータ３２のカム部５１のカム水平面に当接するだけで、コンタクト３３の枢支部６１は弾性変形しない。
【００２２】
一方、図１１および図１２に示すようにアクチュエータ３２を閉じた状態にする場合には、アクチュエータ３２のカム部２５のカム水平面が水平方向から傾きを持つ位置まで移動する。図１１および図１２の位置まで回転した時、アクチュエータ３２の軸の中心３５（ｘで図示されている）が上方向にＸ寸法だけずれて中心３５´まで移動する。このとき、コンタクト３３の枢支部６１が、アクチュエータ３２のカム部２５のカム側面（コンタクト受面）５２に当接し、カム側面５２を押圧する。アクチュエータ３２を閉じた状態にする場合には、カム側面５２は、コンタクト受面として作用する。
【００２３】
詳しく述べると、コンタクト３３の枢支部６１すなわち軸支え部が、押し上げられ、下から上方向に弾性変形し変位する。すなわち、点線で描かれた位置から実線で描かれた位置まで軸支え部を押し上げる。この状態であれば、ハウジング３１のカム受面４１とアクチュエータ３２のカム部５１との反発力により、アクチュエータ３２は開放状態に戻る。このようにして、開放状態を安定して保つことができる。
【００２４】
なお、アクチュエータのカム部とハウジングのカム受面とは、アクチュエータおよびハウジングのそれぞれの両端に形成しても良い。
【００２５】
【発明の効果】
以上説明したように、本発明に係るケーブル用コネクタは、アクチュエータを閉じた状態にする場合にコンタクトの枢支部が弾性変形し、カム部を押圧する構成を備えているため、アクチュエータの姿勢の変化に拘らず、アクチュエータが外れるのを防止できるという効果を奏する。
【図面の簡単な説明】
【図１】本発明の第１の実施の形態に係るケーブル用コネクタのアクチュエータを開いた状態を示す斜視図である。
【図２】図１のケーブル用コネクタの横断面図である。
【図３】図１のケーブル用コネクタにおけるハウジングからアクチュエータを取り外した分解斜視図である。
【図４】図１のケーブル用コネクタにおけるハウジングからコンタクトを二つ取りはずした分解斜視図である。
【図５】図１のケーブル用コネクタのアクチュエータを閉じた状態を示す斜視図である。
【図６】図１のケーブル用コネクタにＦＰＣを接続した状態を示す斜視図である。
【図７】図１のケーブル用コネクタにＦＰＣを接続した状態を示す横断面図である。
【図８】本発明の第２の実施の形態に係るケーブル用コネクタの斜視図である。
【図９】図８のケーブル用コネクタの横断面図である。
【図１０】図８のケーブル用コネクタの図９とは異なる位置での横断面図である。
【図１１】図８のケーブル用コネクタにおけるアクチュエータを開いた状態から閉じた状態にする途中の状態での図９と同じ箇所の横断面図である。
【図１２】図８のケーブル用コネクタにおけるアクチュエータを開いた状態から閉じた状態にする途中の状態での図９と同じ箇所の横断面図である。
【符号の説明】
９、１０  穴
１１、１１−２  ケーブル用コネクタ
１２  貫通穴
１３  枢支部
１５  コンタクト
１７  ケーブル（ＦＰＣ）
１９  ハウジング
２０  軸受部
２１  アクチュエータ（操作子）
２２  軸部
２５  カム部
３１  ハウジング
３２  アクチュエータ（操作子）
３３、３４  コンタクト
３５、３５´  アクチュエータ（操作子）の中心
４１  カム受面
５１  カム部
５２  カム側面（コンタクト受部）
【図１】
0003692469.tif 000002
【図２】
0003692469.tif 000003
【図３】
0003692469.tif 000004
【図４】
0003692469.tif 000005
【図５】
0003692469.tif 000006
【図６】
0003692469.tif 000007
【図７】
0003692469.tif 000008
【図８】
0003692469.tif 000009
【図９】
0003692469.tif 000010
【図１０】
0003692469.tif 000011
【図１１】
0003692469.tif 000012
【図１２】
0003692469.tif 000013